(57)【要約】【課題】効率良くかつ適正に、電話網とＩＰ網を使い分けまたは同時使用することができる通信装置を提供する。【解決手段】電話手段１１と、ファクシミリ手段１２と、ＶｏＩＰ手段１３とを備え、電話手段またはファクシミリ手段から受け取った音声帯域信号を電話網２００に送出するとともに、電話網２００から取り込んだ音声帯域信号を電話手段１１またはファクシミリ手段１２に渡す一方、電話手段１１から受け取った音声帯域信号をＶｏＩＰ手段１３によりＩＰ信号に変換してＩＰ網３００に送出するとともに、ＩＰ網３００から取り込んだＩＰ信号をＶｏＩＰ手段１３により音声帯域信号に変換して電話手段１１に渡す電話網／ＩＰ網制御手段１４を備えたことを特徴とする。【選択図】    図１
2004274189.tif 000002
【特許請求の範囲】
【請求項１】
音声帯域の音声信号による通話を行う電話手段と、
音声帯域の画情報信号の処理を行うファクシミリ手段と、
音声帯域信号とＩＰ信号とを相互変換するＶｏＩＰ手段と、
を備えた通信装置であって、
前記電話手段またはファクシミリ手段から受け取った音声帯域信号を、電話網に送出するとともに、当該電話網から取り込んだ前記音声帯域信号を前記電話手段または前記ファクシミリ手段に渡す一方、前記電話手段から受け取った音声帯域信号を前記ＶｏＩＰ手段によりＩＰ信号に変換してＩＰ網に送出するとともに、当該ＩＰ網から取り込んだＩＰ信号を前記ＶｏＩＰ手段により音声帯域信号に変換して前記電話手段に渡す電話網／ＩＰ網制御手段を備えた、
ことを特徴とする通信装置。
【請求項２】
音声帯域の音声信号による通話を行う電話手段と、
音声帯域の画情報信号の処理を行うファクシミリ手段と、
前記電話手段またはファクシミリ手段と電話網との間でインタフェースを行うＮＣＵ手段と、
音声帯域信号とＩＰ信号とを相互変換するＶｏＩＰ手段と、
前記ＶｏＩＰ手段とＩＰ網との間でインタフェースを行うＩＰインタフェース手段とを備えた通信装置であって、
前記ＮＣＵ手段は、前記電話手段またはファクシミリ手段から受け取った音声帯域信号を電話網に送出するとともに、当該電話網から取り込んだ音声帯域信号を前記電話手段または前記ファクシミリ手段に渡し、
前記ＩＰインタフェース手段は、前記電話手段から受け取った音声帯域信号を前記ＶｏＩＰ手段によりＩＰ信号に変換してＩＰ網に送出するとともに、当該ＩＰ網から取り込んだＩＰ信号を前記ＶｏＩＰ手段により音声帯域信号に変換して前記電話手段に渡す、
ことを特徴とする通信装置。
【請求項３】
前記電話手段と前記ファクシミリ手段の何れか一方を前記ＮＣＵ手段に接続するための選択手段を備え、前記選択手段は、前記電話手段と前記ファクシミリ手段の何れか一方を前記電話網に接続することを特徴とする請求項１または２に記載の通信装置。
【請求項４】
前記電話手段による発呼に際して前記電話網と前記ＩＰ網との何れか一方を選択し前記選択された網に対して当該発呼を行う電話網／ＩＰ網選択手段を備えたことを特徴とする請求項１から３の何れかに記載の通信装置。
【請求項５】
送信先を特定する情報を記憶する送信先情報記憶手段と、
前記電話手段による発呼に際して前記送信先情報記憶手段に記憶された、電話網を介しての送信先として指定された送信先情報、または緊急用の送信先情報が指定された場合には、前記電話網を自動的に選択する電話網自動選択手段と、
を備えたことを特徴とする請求項１から４の何れかに記載の通信装置。
【請求項６】
送信先を特定する情報を記憶する送信先情報記憶手段と、
前記電話手段による発呼に際して前記送信先情報記憶手段に記憶された特定の送信先情報、ＩＰアドレスに相当する送信先情報、またはＩＰ電話に割り付けられている送信先情報が指定された場合には、前記ＩＰ網を自動的に選択するＩＰ網自動選択手段と、
を備えたことを特徴とする請求項１から５の何れかに記載の通信装置。
【請求項７】
前記ファクシミリ手段が前記電話網に接続されている場合において、前記電話手段により発呼するときは、当該電話手段は、前記ＩＰ網に対して発呼することを特徴とする請求項１から６の何れかに記載の通信装置。
【請求項８】
前記ファクシミリ手段に送信用の画情報が蓄積されている場合に、前記電話手段で発呼する場合には、当該電話手段は、前記ＩＰ網に対して発呼することを特徴とする請求項１から７の何れかに記載の通信装置。
【請求項９】
前記電話手段が前記ＩＰ網にが接続されている場合において、前記ファクシミリ手段により発呼する場合には、当該ファクシミリ手段は、前記電話網に対して発呼することを特徴とする請求項１から８の何れかに記載の通信装置。
【請求項１０】
前記電話網からの着呼を検出する第１の着呼検出手段と、前記ＩＰ網からの着呼を検出する第２の着呼検出手段とを備え、前記第１の着呼検出手段と前記第２の着呼検出手段の検出結果に基づいて、何れから着呼があったかを判断するとともに、前記判断結果に応じてあらかじめ設定されている着信動作を行うことを特徴とする請求項１から９の何れかに記載の通信装置。
【請求項１１】
前記着信動作には鳴り分けによる鳴動を含むことを特徴とする請求項１０に記載の通信装置。
【請求項１２】
前記電話手段が前記ＩＰ網に接続されている場合において、前記第１の着呼検出手段が前記電話網からの着呼を検出したときは、前記ファクシミリ手段を前記電話網に接続することを特徴とする請求項１０または１１に記載の通信装置。
【請求項１３】
画情報の送受信をＩＰ網経由で行う第２のファクシミリ手段を備えた請求項１から１２の何れかに記載の通信装置。
【発明の詳細な説明】
【０００１】
【発明の属する技術分野】
本発明は、従来の電話網およびＩＰ網への双方に接続できるファクシミリ機能を備えた通信装置に関する。
【０００２】
【従来の技術】
従来では、一般加入者電話網（本明細書では、単に「電話網」と言う）が通話、通信の媒体として使用されてきたが、近年ではＩＰ網が爆発的な勢いで普及し始めており、将来的には電話網がＩＰ網に置き換わることが予想され、またそれまでには電話網とＩＰ網が共存していく過度期が長く続くことも予想される。
【０００３】
そこで、電話網に接続する一般電話、ファクシミリ等をＩＰ網にも接続することができるＩＰ端末装置、すなわち電話網とＩＰ網を場合に応じて使い分けることができる端末装置が必要になる。
【０００４】
【発明が解決しようとする課題】
しかし、電話網とＩＰ網とに接続できる従来のファクシミリ装置では、電話網一回線に電話とファクシミリを接続して何れか一方を使用するという形態が一般的である。このため、音声信号による通話と、ファクシミリ送受信とを効率よく制御しないと種々の不都合が生じる。たとえば、ＩＰ電話ではいわゆる緊急用電話番号（１１０，１１９番）を使用することができないため、不測の事態が生じることが懸念される。
【０００５】
本発明の目的は、効率良くかつ適正に、電話網とＩＰ網を使い分けまたは同時使用することができる、電話手段とファクシミリ手段とを備えた通信装置を提供することにある。
【０００６】
【課題を解決するための手段】
本発明の通信装置は、音声帯域の音声信号による通話を行う電話手段と、音声帯域の画情報信号の処理を行うファクシミリ手段と、音声帯域信号とＩＰ信号とを相互変換するＶｏＩＰ手段とを備えたもので、前記電話手段またはファクシミリ手段から受け取った音声帯域信号を、電話網に送出するとともに、当該電話網から取り込んだ前記音声帯域信号を前記電話手段または前記ファクシミリ手段に渡す一方、前記電話手段から受け取った音声帯域信号を前記ＶｏＩＰ手段によりＩＰ信号に変換してＩＰ網に送出するとともに、当該ＩＰ網から取り込んだＩＰ信号を前記ＶｏＩＰ手段により音声帯域信号に変換して前記電話手段に渡す電話網／ＩＰ網制御手段を備えたことを特徴とする。
【０００７】
また、本発明の通信装置は、音声帯域の音声信号による通話を行う電話手段と、音声帯域の画情報信号の処理を行うファクシミリ手段と、前記電話手段またはファクシミリ手段と電話網との間でインタフェースを行うＮＣＵ手段と、音声帯域信号とＩＰ信号とを相互変換するＶｏＩＰ手段と、前記ＶｏＩＰ手段とＩＰ網との間でインタフェースを行うＩＰインタフェース手段とを備えたもので、前記ＮＣＵ手段は、前記電話手段またはファクシミリ手段から受け取った音声帯域信号を電話網に送出するとともに、当該電話網から取り込んだ音声帯域信号を前記電話手段または前記ファクシミリ手段に渡し、前記ＩＰインタフェース手段は、前記電話手段から受け取った音声帯域信号を前記ＶｏＩＰ手段によりＩＰ信号に変換してＩＰ網に送出するとともに、当該ＩＰ網から取り込んだＩＰ信号を前記ＶｏＩＰ手段により音声帯域信号に変換して前記電話手段に渡すことを特徴とする。
【０００８】
本発明によれば、電話は電話網とＩＰ網との双方にアクセスできるが、通信品質は電話網の方が良く、通信費はＩＰ網の方が安いので、使用状況に応じて使い分けができる。電話をＩＰ網で使用しても、ファクシミリは電話網にアクセスすることができデュアル通信ができる。
【０００９】
本発明では、前記電話手段と前記ファクシミリ手段の何れか一方を前記ＮＣＵ手段に接続するための選択手段を備えることができ、前記選択手段は、前記電話手段と前記ファクシミリ手段の何れか一方を前記電話網に接続することができる。
【００１０】
本発明では、前記電話手段による発呼に際して前記電話網と前記ＩＰ網との何れか一方を選択し前記選択された網に対して当該発呼を行う電話網／ＩＰ網選択手段を備えることができる。
【００１１】
本発明では、送信先を特定する情報（電話番号，メールアドレス，またはさらにこれらに関連付けられる名称等）を記憶する送信先情報記憶手段と、前記電話手段による発呼に際して前記送信先情報記憶手段に記憶された、電話網を介しての送信先として指定された送信先情報、または緊急用の送信先情報が指定された場合には、前記電話網を自動的に選択する電話網自動選択手段を備えることができる。これにより、相手通信装置に応じて適切な回線を選択することができ、また電話網を使用して緊急用の電話をかけることができる。
【００１２】
本発明では、送信先を特定する情報（電話番号，メールアドレス，またはさらにこれらに関連付けられる名称等）を記憶する送信先情報記憶手段と、前記電話手段による発呼に際して前記送信先情報記憶手段に記憶された、特定の送信先情報、ＩＰアドレスに相当する送信先情報、またはＩＰ電話に割り付けられている送信先情報（ＩＰ電話独自番号）が指定された場合には、前記ＩＰ網を自動的に選択するＩＰ網自動選択手段とを備えることができる。これにより、ＩＰ電話同士の通信を行うことができる。
【００１３】
本発明では、前記ファクシミリ手段が前記電話網に接続されている場合において、前記電話手段により発呼するときは、当該電話手段は、前記ＩＰ網に対して発呼することができる。
【００１４】
本発明では、前記ファクシミリ手段に送信用の画情報が蓄積されている場合に、前記電話手段で発呼する場合には、当該電話手段は、前記ＩＰ網に対して発呼することができる。これにより、電話の使用によって電話網を使用することによる、ファクシミリ送信の機会損失を防ぐことができる。
【００１５】
本発明では、前記電話手段が前記ＩＰ網に接続されている場合において、前記ファクシミリ手段により発呼する場合には、当該ファクシミリ手段は、前記電話網に対して発呼することができる。
【００１６】
本発明では、前記電話網からの着呼を検出する第１の着呼検出手段と、前記ＩＰ網からの着呼を検出する第２の着呼検出手段とを備えることができ、前記第１の着呼検出手段と前記第２の着呼検出手段の検出結果に基づいて、何れから着呼があったかを判断するとともに、前記判断結果に応じてあらかじめ設定されている着信動作を行うことができる。これにより、電話網あるいはＩＰ網から着呼があった場合に適切な回線を選択して通信することができる。この場合、着信動作には鳴り分けによる鳴動を含むことができ、着呼が、電話網あるいはＩＰ網の何れからのものであるのか、着信音によって区別することができる。
【００１７】
本発明では、前記電話手段が前記ＩＰ網に接続されている場合において、前記第１の着呼検出手段が前記電話網からの着呼を検出したときは、前記ファクシミリ手段を前記電話網に接続することもできる。
【００１８】
本発明では、前記電話手段に代えてまたは前記電話手段とともに画情報の送受信をＩＰ網経由で行う第２のファクシミリ手段を備えることができる。これにより、電話網でファクシミリを使用していても、ＩＰ網経由でファクシミリを同時に使用することができる。
【００１９】
【発明の実施の形態】
図１は本発明の具体的な一実施形態を示す説明図である。図１において、通信装置１は、電話手段１１と、ファクシミリ手段１２と、ＶｏＩＰ手段１３と、網制御手段１４とからなる。
【００２０】
電話手段１１は、音声帯域の音声信号による通話を行い、ファクシミリ手段１２は、音声帯域の画情報信号の処理を行う。また、ＶｏＩＰ手段１３は、電話手段１１と、網制御手段１４に接続されており、音声帯域信号とＩＰ信号とを相互変換する。
【００２１】
ＶｏＩＰは、ＩＰ網３００上で音声通話を実現する技術であり、電話網２００のインフラをデータ網と統合することにより、回線稼働率を上げ、通信コストを下げることができる。ＶｏＩＰでは、ＩＴＵ−Ｔ標準勧告Ｈ．３２３が標準仕様として採用されている。なお、ＶｏＩＰ上にファクシミリ信号を音声信号として載せることができる。図１においては、電話手段１１の括弧書きで第２ファクシミリ手段を示してある。この第２ファクシミリ手段は、ＩＴＵ−ＴＴ．３８に準拠したものを採用することができる。Ｔ．３８では、ファクシミリ信号をダイレクトに端末間でリアルタイムでやり取りすることができる。すなわち、メールサーバを介さず、ＴＣＰ／ＩＰネットワークに接続された機器同士で直接送受信ができるので、相手機器がＩＴＵ−ＴＴ．３８に準拠していれば、一般のファクスと同じように、能力交換（どのサイズで送受信できるかなど）を行い、リアルタイムで送受信を行うことができる。
【００２２】
網制御手段１４は、本発明における電話網／ＩＰ網制御手段であり、ＮＣＵ手段１４１とＩＰインタフェース手段１４２とからなる。ＮＣＵ手段１４１は、第１の着呼手段１４１１を含み、ＩＰインタフェース手段１４２は第２の着呼手段１４２１を含む。
【００２３】
ＮＣＵ手段１４１は、電話手段１１またはファクシミリ手段１２から受け取った音声帯域信号を、電話網２００に送出するとともに、電話網２００から取り込んだ音声帯域信号を電話手段１１またはファクシミリ手段１２に渡すことができる。また、ＩＰインタフェース手段１４２は、ＶｏＩＰ手段１３を介して電話手段１１から受け取った音声帯域信号をＩＰ信号に変換してＩＰ網３００に送出するとともに、ＩＰ網３００から取り込んだＩＰ信号をＶｏＩＰ手段１３により音声帯域信号に変換して電話手段１１に渡すことができる。
【００２４】
以下、図１の通信装置１の動作を詳細に説明する。ＮＣＵ手段１４１は、電話網２００に直接接続するためのもので、１次２次間の絶縁、回線閉結のための直流電流ループの形成、発呼するためのダイヤル送出や着信時の呼び出し信号の検出（第１の着呼検出手段）等を行う。また、電話網２００が無線回線である場合、ＮＣＵ手段１４１は基地局と無線で通信するための無線インタフェースである。ＮＣＵ手段１４１は電話手段１１あるいはファクシミリ手段１２と接続されている。
【００２５】
ＩＰインタフェース手段１４２は、通信装置１をＩＰ網３００に直接接続するためのもので、ＬＡＮ（有線，無線ＬＡＮ）またはＷＡＮ（たとえば、インターネット）などのＩＰ網３００に接続するものであり、具体的にはイーサネット（登録商標）、トークンリングなどに代表されるＬＡＮ用の物理媒体（実際に接続する製品としてはルータ、ターミナルアダプタ、ハブなどがある）に接続するものである。もちろん、通信装置１はこれら以外のＩＰ網にも接続することができるのは当然である。また、ＩＰインタフェース手段１４２は、第２の着呼手段１４２１によりＩＰ網３００から着信時の着呼の検出も行う。また、図１では、第１の着呼手段１４１１や第２の着呼手段１４２１は、ＮＣＵ手段１４１やＩＰインタフェース手段１４２に含まれているが、これらと別体に構成してもよい。
【００２６】
また図１では、第１の着呼手段１４１１と第２の着呼手段１４２１からの出力を、ファクシミリ手段１２に入力して制御しているが、同時に電話手段１１に入力して制御してもよいし、電話手段１１にのみ入力して制御してもよい。
【００２７】
ＶｏＩＰ手段１３は、アナログの音声信号をデジタル化し、必要であれば圧縮を行い、そのデータをＩＰパケットにのせて、そのＩＰパケットをＩＰ網３００に送出するものである。また、その逆にＶｏＩＰ手段１３は、ＩＰパケットをＩＰ網３００から取り込み、そのＩＰパケットをアナログ化する制御も行っている。ＶｏＩＰ手段１３は、電話手段１１と接続されている。
【００２８】
電話網２００はメタリックケーブルを使用する回線網（いわゆるＰＳＴＮ）、ファクシミリ通信網等の音声帯域のアナログ信号を送受する回線網である。一方、ＩＰ網３００は、ＩＰパケットを送受する回線網であり、例えばセルリレー網、ＦＲ網（フレームリレー網）、デジタル回線網、専用線、インターネット、ＩＰ網、光ファイバー（ＦＴＴＨ）、ＸＤＳＬ、ＩＳＤＮ，無線通信網、衛星通信網、光ケーブル等がある。
【００２９】
通信装置１としては、ファクシミリ機能を備えた、電話、ＩＰ電話、インターネット電話，携帯型電話機（携帯電話、ＰＨＳ）、ＰＤＡなどがある。電話手段１１やファクシミリ手段１２から送出された音声帯域信号は、ＮＣＵ手段１４１を介して電話網２００に送出されるとともに、電話網２００から入力された音声帯域信号はＮＣＵ手段１４１を介して電話手段１１あるいはファクシミリ手段１２に入力される。一方、電話手段１１から送出された音声帯域信号はＶｏＩＰ手段１３によってＩＰ信号に変換され、ＩＰ信号はＩＰインタフェース手段１４２を介してＩＰ網３００に送出されるとともに、ＩＰ網３００から入力されたＩＰ信号はＩＰインタフェース手段１４２を介してＶｏＩＰ手段１３に入力され、入力されたＩＰ信号はＶｏＩＰ手段１３によって音声帯域信号に変換され、変換された音声帯域信号は電話手段１１に入力される。
【００３０】
音声帯域信号とは音声周波数（約３００Ｈｚ〜３．４ＫＨｚ）のアナログ信号であり、電話においては人間の声（音声）そのものであり、ファクシミリ通信においては画情報信号を電話網２００で送受信するために音声周波数に変調したアナログ信号である。
【００３１】
発呼する場合には、電話網２００とＩＰ網３００の何れか一方を選択し、選択された回線に対して発呼を行う。回線の選択の方法としては操作入力手段（図３の操作入力・表示部３１４参照）からの回線選択指示による場合や、あらかじめメモリ（図３のＲＡＭ３１３参照）の電子電話帳領域に記憶してある電話番号、ＩＰアドレス、それらに対応づけた名称等に、選択する回線の種類を対応させて記憶しておき、その電話番号、ＩＰアドレス、それらに対応づけた名称等が選択された場合には対応する回線を選択して発呼するようにできる。
【００３２】
また、操作入力手段の例えばテンキーから直接電話番号やＩＰアドレスや名称等を入力する場合はその入力された電話番号、ＩＰアドレス、名称等を監視することによって、対応する回線を選択して発呼するものである。
【００３３】
なお、通信装置１は、図示はしないがインターネットファクシミリ機能（ＩＴＵ−Ｔ標準勧告Ｔ．３８）を備えることもできる。この場合には、インターネットファクシミリ手段を設け、ＩＰ網３００を介して画像データを送信するとともにＩＰ網３００から画像データを受信するようにもできる。
【００３４】
図２は、図１の通信装置１の構成に、電話手段１１とファクシミリ手段１２の何れか一方をＮＣＵ手段１４１に接続するための選択手段１５が付加された通信装置２を示している。
【００３５】
選択手段１５は、電話手段１１とファクシミリ手段１２の何れか一方をＮＣＵ手段１４１に物理的に接続するためのもので、それによって電話手段１１とファクシミリ手段１４２の何れか一方を電話網２００に接続する。
選択手段１５は電磁リレーに代表されるメカニカルリレーを使用してもよいし、半導体リレーやアナログスイッチに代表される半導体リレータイプを使用してもよい。またタイムシェアリングによる切替手法に代表されるようなソフトウェアによるスイッチでもよい。切替えは、短い時間で行ってもよいし、１通信ごとに行ってもよい。発呼する場合に、特定の電話番号、それに対応づけられた名称等が入力あるいは選択された場合には電話網２００を自動的に選択する。
【００３６】
図３は、図１および図２における通信装置１をより具体的に示す説明図である。図３において、通信装置３は、ＣＰＵ（中央処理装置）３１１と、ＲＯＭ（リード・オンリー・メモリ）３１２と、ＲＡＭ（ランダム・アクセス・メモリ）３１３と、操作入力・表示部３１４と、電話手段３１５（通話回路３１５１とハンドセット３１５２とからなる）と、ファクシミリ手段３１６と、ＶｏＩＰ手段３１７と、ＮＣＵ手段３１８と、ＩＰインタフェース手段３１９と、選択回路３２０（図２の選択手段１５に対応する）とからなる。
【００３７】
ＣＰＵ３１１は装置全体を制御するものであり、その実行プログラムはＲＯＭ３１２に記憶され、ＣＰＵ３１１はその実行プログラムをＲＯＭ３１２から読み出し、その実行プログラムに含まれる命令を逐次解釈して装置全体の制御を行うものである。
【００３８】
ＲＡＭ３１３はその制御に必要なワークエリアが形成されるともに、保存パラメータやそのほか制御に必要な種々のパラメータや管理情報等を記憶するものである。ＲＡＭ３１３には、電子電話帳ＥＴＮ領域が確保されており、この電子電話帳ＥＴＮには、送信先情報（特定の電話番号、名称等）は、電話網２００に対応して予め記憶されている。
【００３９】
操作入力・表示部３１４は各種の操作キーと操作ガイダンス等を表示する表示器からなり、オペレータが装置を操作するたものである。
【００４０】
電話手段３１５は、通話回路３１５１とハンドセット３１５２とからなる。通話回路３１５１は、マイク等から入力された音声信号をＶｏＩＰ手段３１７あるいはＮＣＵ手段３１８に送出し、ＶｏＩＰ手段３１７あるいはＮＣＵ手段３１８から入力された音声信号をスピーカ等に出力する。ハンドセット３１５２は、音声を出力するスピーカや音声を入力するマイク、液晶ディスプレイ等から構成された、音声通話をするいわゆる受話器である。このハンドセット３１５２を用いて、前記電子電話帳ＥＴＮに記憶されている電話番号、名称等を直接選択することができ、あるいは操作入力手段の例えばテンキーから直接電話番号、名称等を入力することもできる。
【００４１】
通話回路３１５１には、音声信号を増幅したりあるいは減衰することにより音量を調整したり、音声信号の周波数特性を変化させることにより音質を良くしたりする回路も含まれているのが一般的である。また送話器から受話器への音の回り込みを制御するいわゆる側音制御もここで行うのが一般的である。
【００４２】
ファクシミリ手段３１６は、モデム３１６１と、符号化・復号化部３１６２と、画像メモリ３１６３と、プロッタ３１６４と、スキャナ３１６５とからなる。モデム３１６１は、電話網２００を伝送回線として使用できるように、送信時には画像データのデジタルデータをアナログ信号（音声帯域（およそ３００Ｈｚ〜３．４ＫＨｚ）の信号）に、受信時にはアナログ信号をデジタルデータに変換するものである。モデム３１６１は、選択回路３２０を介してＮＣＵ手段３１８に接続され、信号送信時にはモデム３１６からアナログデータがＮＣＵ手段３１８に送出され、信号受信時にはアナログデータがＮＣＵ手段３１８からモデムに入力される。
【００４３】
符号化・復号化部３１６２は、生の画像データを符号圧縮する一方、符号圧縮された画像データを元の生の画像データに復号伸張する。画像メモリ３１６３は、送信する画情報、受信した画情報、コピー出力する画情報などを圧縮データあるいは生データの形で記憶する。プロッタ３１６４は、画像データを所定の解像度で紙などの記録媒体に記録し出力する。スキャナ３１６５は、原稿の画像を所定の解像度で読み取ることにより装置が扱えるデータに変換する。
【００４４】
なお、図３では、ＣＰＵ１１，ＲＯＭ１２，ＲＡＭ１３，操作入力・表示部３１４は、電話手段２１５とファクシミリ手段２１６とで共通に使用されているが、電話手段２１５とファクシミリ手段２１６とが別個に使用するように、複数設けることもできる。
【００４５】
図４のフローチャートにより、発呼に際して、緊急用の電話番号（例えば１１９番、１１０番等）またはそれに対応付けられた名称等が入力された場合に、電話網２００を自動的に選択する処理を説明する。
【００４６】
まず、電話番号が入力されまたは電子電話帳ＥＴＮから送信先が選択されると（Ｓ１０１）、送信先が、電話網指定番号か緊急用電話番号かがチェックされる（Ｓ１０２）。特定の電話番号については、電子電話帳に電話網２００から通話するといった指定を行うことができるようにしておき、この指定が行われているか否かを参照することで、送信先電話が電話網指定番号か否かのチェックができる。また、ＲＡＭ３１３に緊急用電話番号参照領域を設けておき、この領域を参照することで送信先電話が緊急用電話番号か否かのチェックができる。
【００４７】
送信先が、電話網指定番号または緊急用電話番号である場合（Ｓ１０２の「ＹＥＳ」）は、電話網２００を選択し（Ｓ１０３）、そうでないとき（Ｓ１０２の「ＮＯ」）はＩＰ網３００を選択して（Ｓ１０４）通話または通信を行い（Ｓ１０５）、当該通話または通信が終了により（回線が切断されることにより）処理が終了する（Ｓ１０６）。なお、ＩＰ電話で緊急用の電話番号を使用することができるならば、送信先が、電話網指定番号または緊急用電話番号である場合に、ＩＰ網３００を選択するように設定してもよい。
【００４８】
図５のフローチャートにより、発呼する場合にある特定の電話番号、それに対応づけられた名称等、ＩＰアドレス、このＩＰアドレスに対応させた名称等、ＩＰアドレスに相当するもの（総称して「ＩＰアドレス等」）が入力あるいは選択された場合に、ＩＰ網３００を自動的に選択する処理を説明する。
【００４９】
まず、電話番号が入力されまたは電子電話帳ＥＴＮから送信先が選択されると（Ｓ２０１）、送信先が、ＩＰアドレス等であるか否かがチェックされる（Ｓ２０２）。特定の電話番号については、電子電話帳にＩＰ網３００から通話するといった指定を行うことができるようにしておき、この指定が行われているか否かを参照することで、送信先電話がＩＰ網指定番号か否かのチェックができる。
【００５０】
送信先が、ＩＰアドレス等である場合は（Ｓ２０２の「ＹＥＳ」）は、ＩＰ網３００を選択し（Ｓ２０３）、そうでないとき（Ｓ２０２の「ＮＯ」）は電話網２００を選択して（Ｓ２０４）通話または通信を行い（Ｓ２０５）、当該通話または通信が終了により（回線が切断されることにより）処理が終了する（Ｓ２０６）。
【００５１】
また、発呼する場合にＩＰ電話に割り付けられている電話番号またはそれに対応づけられた名称等が入力された場合にはＩＰ網３００を自動的に選択する。例えば、０５０で始まる電話番号はＩＰ電話であるので、０５０が入力された場合や、あらかじめ記憶されていた０５０で始まる電話番号または名称等が選択された場合には、ＩＰ網３００を自動的に選択し発呼する。
【００５２】
図６のフローチャートにより、ファクシミリ手段１２と電話網２００とが接続されている場合（すなわち、電話網２００を使用してファクシミリ送信あるいはファクシミリ受信が行われ、電話網２００が使用できない状態の場合）に電話手段１１で発呼するときに、ＩＰ網３００に対して発呼する処理を説明する。
【００５３】
まず、電話番号が入力されまたは電子電話帳ＥＴＮから送信先が選択されると（Ｓ３０１）、ファクシミリ手段１２が電話網２００に接続されているか否かがチェックされる（Ｓ３０２）。
【００５４】
ファクシミリ手段１２が電話網２００に接続されている場合は（Ｓ３０２の「ＹＥＳ」）は、ＩＰ網３００を選択し（Ｓ３０３）、電話網２００に接続されていないとき（Ｓ３０２の「ＮＯ」）は電話網２００を選択して（Ｓ３０４）通話または通信を行い（Ｓ３０５）、当該通話または通信が終了により（回線が切断されることにより）処理が終了する（Ｓ３０６）。
【００５５】
図７のフローチャートにより、ファクシミリ手段１２に送信用の画情報が蓄積されている場合（すなわちメモリ送信あるいは通常の送信により送信する画情報が蓄積され、すぐに送信動作が必要になり電話網２００を使用することが確実な場合）に電話手段１１で発呼するときには、ＩＰ網３００に対して発呼する場合の処理を説明する。
【００５６】
まず、電話番号が入力されまたは電子電話帳ＥＴＮから送信先が選択されると（Ｓ４０１）、ファクシミリ手段１２が電話網２００に接続されているか否かがチェックされる（Ｓ４０２）。
【００５７】
ファクシミリ手段１２が電話網２００に接続されている場合は（Ｓ４０２の「ＹＥＳ」）は、ＩＰ網３００を選択し（Ｓ４０３）、電話網２００に接続されていないとき（Ｓ４０２の「ＮＯ」）は、ファクシミリ手段１２に送信用の画情報が蓄積されているか否かがチェックされる（Ｓ４０４）、蓄積されているときはＩＰ網３００を選択し（Ｓ４０３）、蓄積されているときは電話網２００を選択する（Ｓ４０５）。
【００５８】
この後（Ｓ４０３，Ｓ４０５の処理の後）、通話または通信を行い（Ｓ４０６）、当該通話または通信が終了により（回線が切断されることにより）処理が終了する（Ｓ４０７）。
【００５９】
これにより、電話手段１１よる電話網２００の使用を回避することができ、ファクシミリによる電話網２００への接続を優先させることができる。
【００６０】
図８のフローチャートにより、電話手段１１とＩＰ網３００が接続されている場合（すなわち電話によってＩＰ網３００が使用されている場合）において、ファクシミリ手段１２で電話網２００に対して発呼する処理を説明する。
【００６１】
まず、電話番号が入力されまたは電子電話帳ＥＴＮから送信先が選択されると（Ｓ５０１）、電話手段１１がＩＰ網３００に接続されているか否かがチェックされる（Ｓ５０２）。
【００６２】
電話手段１１がＩＰ網３００に接続されている場合は（Ｓ５０２の「ＹＥＳ」）は、電話網２００を選択する（Ｓ５０３）。このとき、図２に示したように通信装置１が選択手段１５を備えていれば、この選択手段１５によりファクシミリ手段１２とＮＣＵ手段１４１を接続することができる。一方、電話手段１１がＩＰ網３００に接続されていないと判断されたとき（Ｓ５０２の「ＮＯ」）はＩＰ網３００を選択する（Ｓ５０４）。
【００６３】
この後（Ｓ５０３，Ｓ５０４の処理の後）、通話または通信を行い（Ｓ５０５）、当該通話または通信が終了により（回線が切断されることにより）処理が終了する（Ｓ５０６）。
【００６４】
図９、図１０のフローチャートにより、着呼時の動作を説明する。図９は、第１の着呼検出手段１４１１が電話網２００からの着呼を検出し、第２の着呼検出手段１４２１がＩＰ網３００からの着呼を検出し、これ検出結果に基づいて何れから着呼があったかを判断するとともに、判断結果に応じてあらかじめ設定されている着信動作を行う処理を示している。
【００６５】
すなわち、第１の着呼検出手段１４１１、第２の着呼検出手段１４２１の何れに着信があったかを検出し（Ｓ６０１）、第１の着呼検出手段１４１１に着信があったときは（電話網２００からの着呼であれば）、電話網２００からＮＣＵ手段１４１を介してデータを送受信し（Ｓ６０２，Ｓ６０４）、第２の着呼検出手段１４２１に着信があったときは（ＩＰ網３００からの着呼であれば）、ＶｏＩＰ手段１３を介してデータを送受信する（Ｓ６０３，Ｓ６０４）。
【００６６】
ステップＳ６０２では、電話手段１１がＩＰ網３００に接続されている場合に、電話網２００からの着呼があると、ファクシミリ手段１２で応答する処理を行う。また、ステップＳ６０３では、電話が電話網２００で使用されている場合に、ＩＰ網３００から着呼があるとビジー信号をＩＰ網３００へ送出する処理を行う。
【００６７】
また他の設定されている着信動作としては、着信音の鳴動、相手電話番号あるいは名称またはＩＰアドレス等の表示、通話動作、留守番電話の留守録動作、留守番電話機能のリモートコントロール動作、ファクシミリの受信と送信、モニタースピーカ等の音響装置への音声出力等がある。
【００６８】
第１の着呼検出手段１４１１および第２の着呼検出手段１４２１は、それぞれ着呼を検出すると、互いに異なる着信音の鳴動（鳴動Ａまたは鳴動Ｂ）によりいわゆる鳴り分けを行うことができる。着信音（携帯電話のバイブレータや音楽のメロディーを含む）はあらかじめＲＡＭ３１３に記憶されており、電話網２００用の着信音とＩＰ網３００用の着信音をあらかじめ選択して設定することができる。もちろん、電話網２００用の呼び出し信号で鳴動するように設定することもできる。
【００６９】
図１０のフローチャートにより、電話手段１１とＩＰ網３００とが接続されている場合、すなわち電話が使用されている場合に、第１の着呼検出手段１４１１が電話網２００からの着呼を検出したときの処理を説明する。
【００７０】
まず、第１の着呼検出手段１４１１、第２の着呼検出手段１４２１の何れに着信があったかを検出する（Ｓ７０１）。第２の着呼検出手段１４２１に着信があったときは（ＩＰ網３００からの着呼であれば）、ＶｏＩＰ手段１３を介してデータを送受信する（Ｓ７０２，Ｓ７０９）。
【００７１】
第１の着呼検出手段１４１１に着信があったとき（電話網２００からの着呼であれば）、電話がＩＰ網３００に接続されているか否かを判断し（Ｓ７０３）、ＩＰ網３００に接続されていればＣＮＧ（ファクシミリの呼び出し信号）を受信したか否かを判断し（Ｓ７０４）、ＣＮＧを受信したときは（Ｓ７０４の「ＹＥＳ」）ファクシミリ手段１２に接続し（Ｓ７０５）、通信処理を行い（Ｓ７０９）通信が終了したとき（Ｓ７１０）は処理を終了する。一方、ＩＰ網３００に接続されている場合においてＣＮＧを受信しないときは（Ｓ７０４の「ＮＯ」）留守番応答等の不在応答を行い（Ｓ７０６）、処理を終了する。
【００７２】
ステップＳ７０３において、電話がＩＰ網３００に接続されていないときは、ＣＮＧ（ファクシミリの呼び出し信号）を受信したか否かを判断し（Ｓ７０７）、ＣＮＧを受信したときは（Ｓ７０７の「ＹＥＳ」）ファクシミリ手段１２に接続し（Ｓ７０５）、通信が終了したときは（Ｓ７１０）処理を終了する。一方、ＩＰ網３００に接続されていない場合においてＣＮＧを受信しないときは（Ｓ７０７の「ＮＯ」）電話手段１０１に接続し（Ｓ７０８）、通話処理を行い（Ｓ７０９）、通話が終了したとき（Ｓ７１０）は処理を終了する。
【００７３】
【発明の効果】
本発明によれば、使用状況に応じて電話網の接続とＩＰ網との接続を使い分けることができる。
【図面の簡単な説明】
【図１】本発明の具体的な一実施形態を示す説明図である。
【図２】図１の通信装置の構成に、電話手段とファクシミリ手段の何れか一方をＮＣＵ手段に接続するための選択手段が付加された通信装置を示す図である。
【図３】図１および図２における通信装置をより具体的に示す説明図である。
【図４】発呼に際して、緊急用の電話番号またはそれに対応付けられた名称等が入力された場合に、電話網を自動的に選択する処理を説明するフローチャートである。
【図５】発呼する場合にある特定の電話番号、それに対応づけられた名称等、ＩＰアドレス、このＩＰアドレスに対応させた名称等、ＩＰアドレスに相当するものが入力あるいは選択された場合に、ＩＰ網を自動的に選択する処理を説明するフローチャートである。
【図６】ファクシミリ手段と電話網が接続されている場合に電話手段で発呼するときに、ＩＰ網に対して発呼する処理を示すフローチャートである。
【図７】ファクシミリ手段に送信用の画情報が蓄積されている場合に電話手段で発呼するときに、ＩＰ網に対して発呼する場合の処理を示すフローチャートである。
【図８】電話手段とＩＰ網とが接続されている場合において、ファクシミリ手段で電話網に対して発呼する処理を示すフローチャートである。
【図９】第１の着呼検出手段が電話網からの着呼を検出し、第２の着呼検出手段がＩＰ網からの着呼を検出し、これ検出結果に基づいて何れから着呼があったかを判断するとともに、判断結果に応じてあらかじめ設定されている着信動作を行う処理を示すフローチャートである。
【図１０】電話手段とＩＰ網とが接続されている場合に、第１の着呼検出手段が電話網か
らの着呼を検出したときの処理を示すフローチャートである。
【符号の説明】
１，３  通信装置
１１  電話手段
１２  ファクシミリ手段
１３  ＶｏＩＰ手段
１４  網制御手段
１５  選択手段
３１１  ＣＰＵ
３１２  ＲＯＭ
３１３  ＲＡＭ
３１４  操作入力・表示部
３１５  電話手段
３１６  ファクシミリ手段
３１７  ＶｏＩＰ手段
３１８  ＮＣＵ手段
３１９  ＩＰインタフェース手段
３２０  選択回路
３１５１  通話回路
３１５２  ハンドセット
【図１】
2004274189.tif 000003
【図２】
2004274189.tif 000004
【図３】
2004274189.tif 000005
【図４】
2004274189.tif 000006
【図５】
2004274189.tif 000007
【図６】
2004274189.tif 000008
【図７】
2004274189.tif 000009
【図８】
2004274189.tif 000010
【図９】
2004274189.tif 000011
【図１０】
2004274189.tif 000012